【手続補正書】
【提出日】平成30年9月26日(2018.9.26)
【手続補正１】
【補正対象書類名】明細書
【補正対象項目名】００８１
【補正方法】変更
【補正の内容】
【００８１】
【図１】図１は一包化薬剤監査システムの構成、及び薬剤処方の手順が示された説明図である。
【図２】図２は一包化薬剤監査装置の概略構成が示されたブロック図である。
【図３】図３は第一出力部の構成例が示されたブロック図である。
【図４】図４は第一出力部の他の構成例が示されたブロック図である。
【図５】図５は第二出力部の構成例が示されたブロック図である。
【図６】図６は投入薬種正誤判定部が用いられた正誤判定処理の説明図である。
【図７】図７は外観別個数正誤判定部が用いられた正誤判定処理の説明図である。
【図８】図８は取り違え判定可能性判定部が用いられた判定処理の説明図である。
【図９】図９は薬剤の取り違えの説明図である。
【図１０】図１０は外観別個数正誤判定部が誤りと判定した場合の警告表示の一例の説明図である。
【図１１】図１１は取り違え判定可能性判定部が取り違えの有無を判定不能と判定した場合の警告表示の一例の説明図である。
【図１２】図１２は一包化薬剤情報出力方法が含まれる一包化薬剤監査の手順が示されたフローチャートである。
【図１３】図１３は一包化正誤判定工程における判定処理の手順が示されたフローチャートである。
【図１４】図１４はお薬手帳アプリケーションの基本機能が実行される際の表示画面の一例が示された説明図である。
【図１５】図１５はお薬手帳アプリケーションの基本機能が実行される際の表示画面の一例が示された説明図である。
【図１６】図１６はお薬手帳アプリケーションの基本機能が実行される際の表示画面の一例が示された説明図である。
【図１７】図１７はお薬手帳アプリケーションの催促機能が実行される際の表示画面の一例が示された説明図である。
【図１８】図１８はお薬手帳アプリケーションの催促機能が実行される際の表示画面の一例が示された説明図である。
【図１９】図１９はお薬手帳アプリケーションの催促機能が実行される際の表示画面の一例が示された説明図である。
【図２０】図２０はお薬手帳アプリケーションの薬切れ通知が実行される際の表示画面の一例が示された説明図である。
【図２１】図２１はお薬手帳アプリケーションの薬切れ通知が実行される際の表示画面の一例が示された説明図である。
【図２２】図２２はお薬手帳アプリケーションの薬切れ通知が実行される際の表示画面の一例が示された説明図である。
【手続補正２】
【補正対象書類名】明細書
【補正対象項目名】０１４５
【補正方法】変更
【補正の内容】
【０１４５】
図３に示された印刷装置１１２が用いられて、図１に示された紙媒体４に印刷された一包化薬剤情報が表された二次元コード３は、図１に示された携帯端末装置２に具備されるカメラが用いられて読取可能である。図１４等に符号２Ｂが付されて図示されたカメラは一包化薬剤情報取得部の一態様である。
【手続補正３】
【補正対象書類名】明細書
【補正対象項目名】０１５５
【補正方法】変更
【補正の内容】
【０１５５】
図２に示された第二出力部１０２における一包化薬剤情報の出力態様は、図１に示された撮像データ記憶装置１に記憶可能なデータであれば、図５に示された態様に限定されない。
【手続補正４】
【補正対象書類名】明細書
【補正対象項目名】０１９１
【補正方法】変更
【補正の内容】
【０１９１】
図９に示されるように、一包化袋２７Ａに入るべき薬剤Ｄが一包化袋２７Ｂに入り、逆に一包化袋２７Ｂに入るべき薬剤Ｃが一包化袋２７Ａに入る一包化袋２７の間の取り違えが例として挙げられる。
【手続補正５】
【補正対象書類名】明細書
【補正対象項目名】０１９７
【補正方法】変更
【補正の内容】
【０１９７】
取り違え判定可能性判定部４７では、一包化袋薬剤情報取得部５０から入力された一包化袋薬剤情報５１に基づき、薬剤外観データベース４３が参照されて、薬剤２５の取り違えの有無の判定が可能であるか否かを示す取り違え可能性情報５８が取得される。
【手続補正６】
【補正対象書類名】明細書
【補正対象項目名】０２０１
【補正方法】変更
【補正の内容】
【０２０１】
具体的には、取り違え判定可能性判定部４７では、薬剤２５の外観が以下の第一条件から第三の条件を満たすか否かが判定される。なお、条件数は、外観別個数のパラメータの数に応じて増減する。
【手続補正７】
【補正対象書類名】明細書
【補正対象項目名】０２２７
【補正方法】変更
【補正の内容】
【０２２７】
図１２に示されたステップＳ４４の判定がＮＯ判定の場合、一包化袋薬剤情報取得工程Ｓ４８へ進む。一包化袋薬剤情報取得工程Ｓ４８では、一包化袋薬剤情報取得部５０において、調剤情報２２、及び薬剤２５の薬種情報３７に基づき、薬剤情報データベース４１が参照されて、一包分の薬剤２５の一包化袋薬剤情報５１が取得される。
【手続補正８】
【補正対象書類名】明細書
【補正対象項目名】０２２８
【補正方法】変更
【補正の内容】
【０２２８】
そして、一包化袋薬剤情報取得工程Ｓ４８では、図２に示された一包化袋薬剤情報取得部５０において、外観別個数情報取得部４４、及び取り違え判定可能性判定部４７に対して一包化袋薬剤情報５１を出力させる。
【手続補正９】
【補正対象書類名】明細書
【補正対象項目名】０２３６
【補正方法】変更
【補正の内容】
【０２３６】
図１２に示された取り違え可能性情報取得工程Ｓ５８では、図８に示された一包化袋薬剤情報取得部５０から入力された一包化袋薬剤情報５１に基づき、薬剤外観データベース４３が参照されて、取り違え可能性情報５８が取得される。図１２に示された取り違え可能性情報取得工程Ｓ５８の後に条件毎判定工程Ｓ６０へ進む。
【手続補正１０】
【補正対象書類名】明細書
【補正対象項目名】０２３７
【補正方法】変更
【補正の内容】
【０２３７】
条件毎判定工程Ｓ６０では、図８に示された取り違え判定可能性判定部４７において、取り違え可能性情報５８に基づき、異なる一包化袋２７、又は同一の一包化袋２７に投入される別種類の薬剤２５の外観が、先に説明した第一条件から第三条件を満たすか否かが判定される。
【手続補正１１】
【補正対象書類名】明細書
【補正対象項目名】０２４６
【補正方法】変更
【補正の内容】
【０２４６】
取り違え可能性有無判定可否判定工程Ｓ１０４におけるＹＥＳ判定の場合、一包化薬剤判定工程Ｓ１０８へ進む。図１３に示された取り違え可能性有無判定可否判定工程Ｓ１０４は、図１２に示された条件毎判定工程Ｓ６０の処理が適用されてもよい。
【手続補正１２】
【補正対象書類名】明細書
【補正対象項目名】０２６３
【補正方法】変更
【補正の内容】
【０２６３】
＜課題の説明＞
特許文献１に記載の閲覧システムは、携帯端末装置が用いられて閲覧データベースにアクセスさせて、閲覧データベースの薬剤の情報が閲覧可能であるものの、薬剤の服用忘れ、薬剤の取り違え、又は薬剤の補充忘れの防止がされるものではない。また、簡単に利用可能なアプリケーションではない。
【手続補正１３】
【補正対象書類名】明細書
【補正対象項目名】０２７４
【補正方法】変更
【補正の内容】
【０２７４】
図１４には、昼食後のタイミングにおいて、昼食後に服用される薬剤が、朝食後、夕食後、及び就寝前に服用される薬剤と比較して拡大して表示されている。そして、一包化された薬剤の画像と重複させて、昼食後に服用されるべき薬剤であることが示された強調表示２０２が付与されている。強調表示２０２は、一包化袋には非付与の情報である。
【手続補正１４】
【補正対象書類名】明細書
【補正対象項目名】０２７６
【補正方法】変更
【補正の内容】
【０２７６】
図１４に示された朝食後に服用された薬剤の画像は、過去に服用された薬剤の撮像データが表す画像の一態様である。夕食後、及び就寝前に服用される薬剤の画像は、今後服用すべき薬剤の撮像データが表す画像の一態様である。昼食後に服用される薬剤の画像は、
次に服用すべき薬剤の撮像データが表す画像の一態様である。
【手続補正１５】
【補正対象書類名】明細書
【補正対象項目名】０２７９
【補正方法】変更
【補正の内容】
【０２７９】
図１６には、夕食後のタイミングにおいて、夕食後に服用される薬剤が、朝食後、昼食後、及び就寝前に服用される薬剤と比較して拡大して表示されている。また、強調表示２０２Ｂが付与されている。
【手続補正１６】
【補正対象書類名】明細書
【補正対象項目名】０２８５
【補正方法】変更
【補正の内容】
【０２８５】
図１７に示された催促機能画面２４０には、図１４に示された基本機能画面２００に催促表示２４２が追加されている。図１８に示された催促機能画面２４０Ａでは、図１７に示された催促機能画面２４０における催促表示２４２の背景２４４の色が変更されている。
【手続補正１７】
【補正対象書類名】明細書
【補正対象項目名】０２９０
【補正方法】変更
【補正の内容】
【０２９０】
図２０に示された薬切れ通知表示画面２６０では、服用されるべき薬剤が不足する服用タイミングにおける画像が非表示とされる。また、画像が非表示とされた服用タイミングの枠の色が赤に変更されて強調されている。一方、１月４日の朝食後から１月９日の朝食後までの、服用済みの服用タイミングにおける画像は、網かけ表示等の目立たせない表示に変更されている。
【手続補正１８】
【補正対象書類名】明細書
【補正対象項目名】０３００
【補正方法】変更
【補正の内容】
【０３００】
［コンピュータを薬剤監査装置として機能させるプログラムについて］
上述の実施形態で説明した一包化薬剤監査装置の一包化薬剤情報出力機能をコンピュータに実現させるためのプログラムをＣＤ−ＲＯＭ、又は磁気ディスク、その他のコンピュータ可読媒体である、有体物たる非一時的な情報記憶媒体に記憶させ、情報記憶媒体を通じてプログラムを提供することが可能である。
【手続補正１９】
【補正対象書類名】明細書
【補正対象項目名】０３０５
【補正方法】変更
【補正の内容】
【０３０５】
１  撮像データ記憶装置
２  携帯端末装置
２Ｂ  カメラ
２Ｃ  スピーカー
２Ｄ  本体フレーム
２Ｅ  データ入力端子
３  二次元コード
４  紙媒体
１０  一包化薬剤情報監査システム
１８  レセプトコンピュータ
２０  一包化薬剤監査装置
１９、３３Ａ  プリンタ
２２  調剤情報
２４  薬剤棚
２５、Ａ、Ａ１、Ａ２、Ｂ、Ｂ１、Ｂ２、Ｃ、Ｃ１、Ｃ２、Ｅ  薬剤
２６  一包化処理装置
２７、２７Ａ、２７Ｂ、２７Ｃ、α、β、γ  一包化袋
３１  第一カメラ
３１Ａ  撮像データ
３２  第二カメラ
３２Ａ  第三カメラ
３２Ｂ  第二撮像データ
３２Ｃ  第三撮像データ
３３  本体部
３４  表示部
３６  包装
３７  薬種情報
４０  投入薬種情報取得部
４１  薬剤情報データベース
４２  投入薬種正誤判定部
４３  薬剤外観データベース
４４  外観別個数情報取得部
４５  外観別計数部
４６  外観別個数正誤判定部
４７  取り違え判定可能性判定部
４８  一包化正誤判定部
４９  通信インタフェース
５０  一包化袋薬剤情報取得部
５１  一包化袋薬剤情報
５３  外観別個数情報
５５  実測情報
５８  取り違え可能性情報
１００、１００Ａ、１００Ｂ  第一出力部
１０２  第二出力部
１０４  画像記憶部
１１０  コード化処理部
１１２  印刷装置
１１４  撮像データ変換処理部
１１６  撮像データ出力部
１２０  データ変換処理部
１２２  データ出力部
２００、２００Ａ、２００Ｂ  基本機能画面
２０２、２０２Ｂ  強調表示
２０４  服用済情報
２２０  第一タブ
２２２  第二タブ
２２４  第三タブ
２４０、２４０Ａ、２４０Ｂ  催促機能画面
２４２、２４２Ｂ  催促表示
２４４  背景
２４６  待機画面
２６０Ａ、２６０Ｂ  通知表示画面
２６２  薬切れ通知
２６３  かかりつけ医院表示
２６４  ボタン
２６６  在庫表示
Ｊ１、Ｊ２、Ｊ３  判定結果
Ｊ４  一包化薬剤情報
Ｊ５  撮像データ
Ｓ１からＳ５、Ｓ４０からＳ１０８  一包化薬剤監査方法の各工程
【手続補正２０】
【補正対象書類名】図面
【補正対象項目名】図２
【補正方法】変更
【補正の内容】
【図２】
2017194870.tif 000001
【手続補正２１】
【補正対象書類名】図面
【補正対象項目名】図５
【補正方法】変更
【補正の内容】
【図５】
2017194870.tif 000002
【手続補正２２】
【補正対象書類名】図面
【補正対象項目名】図１２
【補正方法】変更
【補正の内容】
【図１２】
2017194870.tif 000003
【手続補正２３】
【補正対象書類名】図面
【補正対象項目名】図１３
【補正方法】変更
【補正の内容】
【図１３】
2017194870.tif 000004